(57)【要約】【課題】ディスク状記録媒体を容易に出し入れ可能なディスクカートリッジを提供する。【解決手段】ディスクアクセスを可能にする開口部が形成された下シェル、および光ディスク１０の出し入れを可能にする開口部２２が形成された上シェル３ｂを備えたカートリッジ本体２と、カートリッジ本体２に対してスライド可能に取り付けられて光ディスク１０の上動を規制する上動規制板６とを備え、上シェル３ｂは、開口部２２における口縁の一部を開口部２２の内側に突出させて上動規制板６と相俟って光ディスク１０の上動を規制する上動規制部２４が形成されて構成され、上動規制板６は、開口部２２の内側に突出して光ディスク１０における外縁部の上方に位置する上動規制位置と、外縁部の上方から待避して光ディスク１０の上動を許容可能な上動許容位置との間で平行スライドが可能に取り付けられている。【選択図】        図１
2004288269.tif 000002
【特許請求の範囲】
【請求項１】
収容状態のディスク状記録媒体に対するディスクアクセスを可能にする開口部が形成された下シェル、および前記ディスク状記録媒体の出し入れを可能にするディスク出入口が形成された上シェルを備えて構成されたカートリッジ本体と、当該カートリッジ本体に対してスライド可能に取り付けられて前記収容状態におけるディスク状記録媒体の上動を規制する第１上動規制部とを備えて構成され、
前記上シェルは、前記ディスク出入口における口縁の一部を当該ディスク出入口の内側に突出させて前記第１上動規制部と相俟って前記ディスク状記録媒体の上動を規制する第２上動規制部が形成されて構成され、
前記第１上動規制部は、前記ディスク出入口の内側に突出して前記収容状態のディスク状記録媒体における外縁部の上方に位置する上動規制位置と、前記外縁部の上方から待避して当該ディスク状記録媒体の上動を許容可能な上動許容位置との間で平行スライドが可能に前記カートリッジ本体に取り付けられているディスクカートリッジ。
【請求項２】
前記上シェルは、前記第１上動規制部に係合してその離脱を規制しつつ当該第１上動規制部を当該上シェルに対してスライド可能に取り付けるための係合部が形成されて構成され、
前記第１上動規制部は、前記カートリッジ本体に対してスライドしたときに当該カートリッジ本体の所定部位に当接して当該第１上動規制部を前記上動許容位置に停止させるストッパを備えて構成されている請求項１記載のディスクカートリッジ。
【請求項３】
前記上シェルは、前記第１上動規制部の前記上動規制位置からのスライドを規制するためのスライド規制用凹部が形成されて構成され、
前記第１上動規制部は、付勢手段によって付勢されて前記スライド規制用凹部に嵌入して当該第１上動規制部の前記上動規制位置からのスライドを規制するスライド規制用凸部を備えて構成されている請求項１または２記載のディスクカートリッジ。
【請求項４】
前記第１上動規制部は、当該第１上動規制部の前記上動規制位置からのスライドを規制するためのスライド規制用凹部が形成されて構成され、
前記上シェルは、付勢手段によって付勢されて前記スライド規制用凹部に嵌入して前記第１上動規制部の前記上動規制位置からのスライドを規制するスライド規制用凸部を備えて構成されている請求項１または２記載のディスクカートリッジ。
【請求項５】
前記開口部を開口可能に閉塞するシャッタ部材と、当該シャッタ部材によって前記開口部が閉塞されるときに前記ディスク状記録媒体の前記外縁部に当接する当接位置にスライドして当該ディスク状記録媒体を挟持するようにして保持すると共に当該シャッタ部材によって当該開口部が開口されるときに当該外縁部に対する当接を解除する解除位置にスライドして当該ディスク状記録媒体の保持を解除するディスク保持部とを備えて構成されている請求項１から４のいずれかに記載のディスクカートリッジ。
【発明の詳細な説明】
【０００１】
【発明の属する技術分野】
本発明は、下シェルおよび上シェルを備えて構成されたカートリッジ本体内にディスク状記録媒体が取り出し可能に収容されるディスクカートリッジに関するものである。
【０００２】
【従来の技術】
この種のディスクカートリッジとして、底面板（１）、側壁板（２，２，２）および上面板（３）によって側面開口の箱形に形成されたディスクカートリッジ本体（Ａ）内にディスク（ディスク状記録媒体）を取り出し可能に収容したディスクカートリッジが特開平１１−７７４４号公報に開示されている。この場合、ディスクカートリッジ本体には、収容状態のディスクに対するディスクアクセスを可能とするウィンドウ部（Ｗ）が底面板および上面板の双方に開口されている。また、ディスクカートリッジ本体には、両ウィンドウ部を開閉するためのシャッター板（Ｓ）がスライド可能に取り付けられると共に、ディスクを出し入れするための側面開口部を閉塞する側壁板（５）が取り付けられている。この場合、側壁板には、円柱状の回転支軸（４，４）がその一端部に形成されると共に、ディスクカートリッジ本体に係合するための係合部（６）がその他端部に形成されている。また、ディスクカートリッジ本体（底面板および上面板）には、回転支軸を軸支するための軸受孔（９，９）と、側壁板の係合部が係合可能な係合部（７）とが形成されている。
【０００３】
このディスクカートリッジでは、ディスクカートリッジ本体からのディスク取り出しに際して、まず、両係合部間の係合を解除した後に、ディスクカートリッジ本体に対して回転支軸（回転中心Ｏ）を中心として側壁板を回動させて側面開口部を開口する。次に、例えばディスクカートリッジ本体を傾けることによって、側面開口部からディスクを取り出す。一方、ディスクカートリッジ本体内にディスクを収容する際には、ディスクカートリッジ本体に対して側壁板を回動させて側面開口部を開口した後に、その側方からディスクカートリッジ本体内にディスクを挿入する。次に、側壁板を回動させてディスクカートリッジ本体の係合部に側壁板の係合部を係合させる。これにより、側壁板によって側面開口部が閉塞されてディスクカートリッジ本体内へのディスクの収容が完了する。
【０００４】
【特許文献１】
特開平１１−７７４４号公報（第４−６頁）
【０００５】
【発明が解決しようとする課題】
ところが、従来のディスクカートリッジには、以下の問題点がある。すなわち、このディスクカートリッジでは、ディスクカートリッジ本体に対して回動可能に取り付けられた側壁板によってディスク出し入れ用の側面開口部を閉塞している。したがって、ディスクカートリッジ本体からのディスクの取り出し時、およびディスクカートリッジ本体内へのディスクの収容時には、ディスクカートリッジ本体に対して側壁板を回動させて側面開口部を開口する必要がある。この場合、このディスクカートリッジにおいて、ディスクカートリッジ本体に対して側壁板を回動させた状態では、その回転支軸側の孔設部（１３）がディスクの出し入れの妨げとなっている。したがって、ディスクの出し入れ時には、ディスクカートリッジ本体に対して側壁板を大きく回動させ、さらに、その状態を維持するために側壁板を指等で押さえている必要がある。このため、従来のディスクカートリッジには、ディスクの出し入れが非常に煩雑であるという問題点が存在する。
【０００６】
この場合、特開２０００−１２３５２３号公報には、カートリッジ本体（６）に対して脱着可能に構成された保持部（５）によってディスク出し入れ用の開口部（３）を閉塞可能に構成されたカートリッジ（１）が開示されている。このカートリッジによれば、カートリッジ本体からのディスク（２）の出し入れに際して、カートリッジ本体から保持部を取り外して傍らに置いておくことができるため、保持部を押さえることなくディスクを出し入れすることが可能となる。しかし、このカートリッジには、ディスクの出し入れ時にカートリッジ本体から取り外した保持部を紛失するおそれがあり、保持部を紛失したときには、カートリッジの使用が不能となるという問題点がある。
【０００７】
本発明は、かかる問題点に鑑みてなされたものであり、ディスク状記録媒体を容易に出し入れ可能なディスクカートリッジを提供することを主目的とする。また、ディスクカートリッジを構成する部品の紛失を回避し得るディスクカートリッジを提供することを他の目的とする。
【０００８】
【課題を解決するための手段】
上記目的を達成すべく本発明に係るディスクカートリッジは、収容状態のディスク状記録媒体に対するディスクアクセスを可能にする開口部が形成された下シェル、および前記ディスク状記録媒体の出し入れを可能にするディスク出入口が形成された上シェルを備えて構成されたカートリッジ本体と、当該カートリッジ本体に対してスライド可能に取り付けられて前記収容状態におけるディスク状記録媒体の上動を規制する第１上動規制部とを備えて構成され、前記上シェルは、前記ディスク出入口における口縁の一部を当該ディスク出入口の内側に突出させて前記第１上動規制部と相俟って前記ディスク状記録媒体の上動を規制する第２上動規制部が形成されて構成され、前記第１上動規制部は、前記ディスク出入口の内側に突出して前記収容状態のディスク状記録媒体における外縁部の上方に位置する上動規制位置と、前記外縁部の上方から待避して当該ディスク状記録媒体の上動を許容可能な上動許容位置との間で平行スライドが可能に前記カートリッジ本体に取り付けられている。
【０００９】
この場合、前記上シェルは、前記第１上動規制部に係合してその離脱を規制しつつ当該第１上動規制部を当該上シェルに対してスライド可能に取り付けるための係合部が形成されて構成され、前記第１上動規制部は、前記カートリッジ本体に対してスライドしたときに当該カートリッジ本体の所定部位に当接して当該第１上動規制部を前記上動許容位置に停止させるストッパを備えて構成されているのが好ましい。
【００１０】
また、前記上シェルは、前記第１上動規制部の前記上動規制位置からのスライドを規制するためのスライド規制用凹部が形成されて構成され、前記第１上動規制部は、付勢手段によって付勢されて前記スライド規制用凹部に嵌入して当該第１上動規制部の前記上動規制位置からのスライドを規制するスライド規制用凸部を備えて構成されているのが好ましい。
【００１１】
また、前記第１上動規制部は、当該第１上動規制部の前記上動規制位置からのスライドを規制するためのスライド規制用凹部が形成されて構成され、前記上シェルは、付勢手段によって付勢されて前記スライド規制用凹部に嵌入して前記第１上動規制部の前記上動規制位置からのスライドを規制するスライド規制用凸部を備えて構成されているのが好ましい。
【００１２】
さらに、前記開口部を開口可能に閉塞するシャッタ部材と、当該シャッタ部材によって前記開口部が閉塞されるときに前記ディスク状記録媒体の前記外縁部に当接する当接位置にスライドして当該ディスク状記録媒体を挟持するようにして保持すると共に当該シャッタ部材によって当該開口部が開口されるときに当該外縁部に対する当接を解除する解除位置にスライドして当該ディスク状記録媒体の保持を解除するディスク保持部とを備えて構成されているのが好ましい。
【００１３】
【発明の実施の形態】
以下、添付図面を参照して、本発明に係るディスクカートリッジの好適な実施の形態について説明する。
【００１４】
最初に、ディスクカートリッジ１の構成について、図面を参照して説明する。
【００１５】
図１，２に示すディスクカートリッジ１は、光ディスク１０を取り出し可能に収容したカートリッジ式の記録媒体であって、カートリッジ本体２、単一のシャッタ部材４、ディスクトレイ５および上動規制板６を備えると共に、図１２にそれぞれ示す保持片７、回動規制部材８および誤消去防止部材９を備えて構成されている。なお、図２および後に参照する図４，６，９，１１では、本発明についての理解を容易とするために、厚み方向のサイズを誇張して大きく図示している。光ディスク１０（本発明におけるディスク状記録媒体）は、一例として、片面追記型のディスク状記録媒体であって、図１，２に示すように、その中心部には、記録再生装置にチャッキングさせるための直径１５ｍｍ程度の中心孔１０ａが形成されている。一方、図２に示すように、カートリッジ本体２は、互いに嵌合可能に形成された下シェル３ａおよび上シェル３ｂを備えている。
【００１６】
下シェル３ａは、図３，４に示すように、開口部１２が形成された底板１１ａと、底板１１ａの外縁部に立設されてディスクカートリッジ１の側面部分を構成する側壁１１ｂとで浅皿状に形成されている。この場合、開口部１２は、記録データの記録再生時にカートリッジ本体２内に収容されている光ディスク１０に対するディスクアクセス（記録再生装置によるチャッキングや、ピックアップによるレーザービームの照射等）を可能とする孔であって、光ディスク１０の中心部から外縁部までを露出可能な大きさに形成されている。また、底板１１ａには、シャッタ部材４の移動範囲に相当する部位を薄肉に形成して凹部１３が形成され、この凹部１３には、シャッタ部材４を回動可能に軸支するための凸部１４が立設されている。また、図３に示すように、底板１１ａには、シャッタ部材４と相俟って光ディスク１０を保持する保持片７を取り付けるための凹部１５が形成されている。
【００１７】
上シェル３ｂは、図５，６に示すように、開口部２２（本発明におけるディスク出入口）が形成された天板２１ａと、天板２１ａの外縁部に立設されて下シェル３ａの側壁１１ｂと相俟ってディスクカートリッジ１の側面部分を構成する側壁２１ｂと、開口部２２の口縁部に立設された隔壁２３とを備えて構成されている。この場合、開口部２２は、カートリッジ本体２内に収容された光ディスク１０のカートリッジ本体２外への取り出し、およびカートリッジ本体２内への収容を可能とする孔であって、光ディスク１０の一面（例えばレーベル面）を全体的に露出可能にするために、光ディスク１０よりもやや大径の略円形状に形成されている。また、上シェル３ｂには、開口部２２の一部において天板２１ａを内側に突出形成することで、カートリッジ本体２に収容されている光ディスク１０の上動を規制するための上動規制部（第２上動規制部）２４が形成されている。また、天板２１ａには、上動規制部２４と相俟って光ディスク１０の上動を規制する上動規制板６を取り付けるための取付部２５が形成されている。この場合、図７に示すように、取付部２５には、上動規制板６に係合してその離脱を規制しつつ上シェル３ｂに対する上動規制板６のスライドを可能とする鍔部２５ａ（本発明における係合部の一例）と、上動規制板６の凸部５１ｂ（図１３参照）が嵌合することによって上動規制板６のスライドを規制するためのスライド規制用凹部（以下、「凹部」ともいう）２５ｂとがその両側部に形成されている。さらに、図５，６に示すように、隔壁２３には、保持片７、およびシャッタ部材４の保持部３５（図８，９参照）を隔壁２３の内側に進入可能とするための切り欠き２３ａ，２３ｂが形成されている。
【００１８】
シャッタ部材４は、図８，９に示すように、その一端部に下シェル３ａの凸部１４が挿通可能な孔３２が形成された平板状のシャッタ本体３１と、シャッタ本体３１に立設されると共に光ディスク１０の外縁部に当接して保持片７と相俟って光ディスク１０を挟持するようにして保持するディスク保持部（以下、「保持部」ともいう）３５とを備えて構成され、図２に示すように、下シェル３ａとディスクトレイ５との間に挟み込まれるようにしてカートリッジ本体２内に配設されている。この場合、シャッタ本体３１には、ディスクトレイ５の下面に立設された凸部４６（図１０参照）が挿通可能なスリット３３が形成されている。また、シャッタ本体３１には、後述する閉塞位置にシャッタ部材４が位置させられた状態において光ディスク１０の中心孔１０ａと対向する部位に、中心孔１０ａよりも大径の（一例として直径１７ｍｍ）孔３４が形成されている。
【００１９】
ディスクトレイ５は、図１０，１１に示すように、下シェル３ａの開口部１２とほぼ同形状の開口部４２が形成された円板状の底板４１と、底板４１の外縁部に立設された側壁４３とで光ディスク１０を載置可能な浅皿状に形成されている。このディスクトレイ５は、図２に示すように、光ディスク１０と共にカートリッジ本体２内に回動可能に収容されている。この場合、図１０に示すように、底板４１の下面には、シャッタ部材４のスリット３３に挿通させられる凸部４６が立設されている。また、側壁４３には、記録再生装置におけるシャッタ開閉手段（図示せず）が噛合可能な噛合用凹部４４ａ，４４ｂおよび噛合用凸部４５，４５・・が形成されている。さらに、図１０，１１に示すように、側壁４３には、上シェル３ｂの隔壁２３に形成された切り欠き２３ａ，２３ｂに対してディスクカートリッジ１の平面方向において重なり合うようにして、切り欠き２３ａ，２３ｂ内に進入させられた保持片７、およびシャッタ部材４の保持部３５をディスクトレイ５上の光ディスク１０における外縁部に当接可能とするための切り欠き４３ａ，４３ｂが形成されている。
【００２０】
上動規制板６は、本発明における第１上動規制部に相当し、図２に示すように、上シェル３ｂの取付部２５に取り付けた状態においてその表面が天板２１ａの表面と面一となるように平板状に形成されている。この場合、図１２に示すように、上動規制板６の表面には、後述するように上シェル３ｂに対して上動規制板６をスライドさせる際の操作を確実かつ容易とするための滑り止め用凸部６ｂが形成されている。また、図１２〜１４に示すように、上動規制板６は、上シェル３ｂの鍔部２５ａ，２５に係合して上動規制板６を上シェル３ｂに取り付けるためのフランジ５１，５１がその両側部に形成されている。この場合、図１３に示すように、フランジ５１は、本発明における付勢手段に相当する弾性アーム５１ａと、弾性アーム５１ａの先端部に突出形成されて上シェル３ｂの取付部２５における凹部２５ｂに嵌合することによって上シェル３ｂに対する上動規制板６のスライドを規制するスライド規制用凸部（以下、「凸部」ともいう）５１ｂとが形成されて構成されている。
【００２１】
さらに、図１３，１４に示すように、上動規制板６は、上シェル３ｂに対してスライドさせられた際に下シェル３ａにおける側壁１１ｂの内面に当接して上動規制板６のスライドを停止させるストッパ５２，５２が立設されている。この上動規制板６は、図１に実線で示すように、その一端面側の端部６ａ（上動規制板６の一部）が上シェル３ｂにおける開口部２２の内側に突出して光ディスク１０における外縁部の上方に位置することにより、上動規制部２４と相俟ってカートリッジ本体２に収容されている状態の光ディスク１０の上動を規制する。以下、端部６ａが開口部２２の内側に突出させられる位置を「上動規制位置」ともいう。また、上動規制板６は、同図に一点鎖線で示すように、カートリッジ本体２に対して平行スライドさせられて、その端部６ａが開口部２２上（光ディスク１０における外縁部の上方）から待避させられることにより、光ディスク１０の上動を許容する。以下、端部６ａが開口部２２の上方から待避させられた位置を「上動許容位置」ともいう。
【００２２】
保持片７は、シャッタ部材４における保持部３５と相俟って本発明におけるディスク保持部を構成し、図１２に示すように、下シェル３ａに取り付けるための柱状部６２が立設された主板６１に、光ディスク１０の外縁部に当接する保持板６３が立設されている。この保持片７は、その柱状部６２が下シェル３ａの凹部１５に回動可能に取り付けられて主板６１および保持板６３がスプリングＳ１によって図１６に示す矢印Ｌ２の向きに付勢されている。この場合、保持片７は、光ディスク１０に対するディスクアクセスを規制する常態（規制状態）においては、スプリングＳ１の付勢力によって回動（スライド）させられて、図１５に示すように、ディスクトレイ５の切り欠き４３ａ内に進入させられて保持板６３が光ディスク１０の外縁部に当接させられる位置（当接位置）に位置して、これにより、シャッタ部材４の保持部３５と相俟って光ディスク１０を挟持するようにしてカートリッジ本体２内に保持する。また、ディスクトレイ５の回動時には、主板６１にディスクトレイ５の側壁４３が当接することによって図１５に示す矢印Ｌ１の向きに回動（スライド）させられて、図１６に示すように、保持板６３が光ディスク１０の外縁部に対する当接を解除させられる位置（解除位置）に位置させられて光ディスク１０の保持を解除する。
【００２３】
回動規制部材８は、図１２に示すように、下シェル３ａに対して回動可能に取り付けるための柱状部６５と、ディスクトレイ５の噛合用凹部４４ｂに係合することによってディスクトレイ５の回動を規制するための爪部６６と、ディスクカートリッジ１が記録再生装置に装填された際にシャッタ開閉手段が当接させられる当接部６７とを備えて構成されている。この回動規制部材８は、図１５に示すように、スプリングＳ２によって爪部６６がディスクトレイ５の噛合用凹部４４ｂに係合する向きに付勢されてディスクトレイ５の回動を規制する。また、ディスクカートリッジ１が記録再生装置に装填された際には、シャッタ開閉手段が当接部６７に当接することによって柱状部６５を中心として爪部６６が側壁４３から離間する向きに回動させられてディスクトレイ５に対する回動の規制を解除する。誤消去防止部材９は、図１５に示すように、カートリッジ本体２に取り付けられて、ディスクカートリッジ１に対する記録データの記録（または、記録データの消去）を可能とする解除位置と、記録データの記録（または、記録データの消去）を規制する規制位置との間でスライドさせられる。
【００２４】
次に、ディスクカートリッジ１の使用方法について、図面を参照して説明する。
【００２５】
このディスクカートリッジ１では、図１５に示すように、記録再生装置から取り外されている状態（非ディスクアクセスの状態）において、下シェル３ａの開口部１２が、ディスクトレイ５の底板４１とシャッタ部材４のシャッタ本体３１とによって閉塞されている。具体的には、ディスクトレイ５は、その開口部４２と下シェル３ａの開口部１２とがディスクカートリッジ１の厚み方向において重なり合う位置（以下、この位置を「開口位置」ともいう）から図１５において反時計方向（左向き）に４５°程度回動させられた状態に位置させられている。これにより、開口部１２の開放端側（光ディスク１０の外縁部側に対するディスクアクセスを可能とする部位）がディスクトレイ５の底板４１によって閉塞されている（以下、開口部１２の開放端側を閉塞する位置を「閉塞位置」ともいう）。なお、本発明の理解を容易とするために、同図および図１６，１７では、光ディスク１０の図示を省略し、同図および図１６では、上シェル３ｂの図示を省略する。また、シャッタ部材４は、その孔３４が光ディスク１０の中心孔１０ａと重なり合う位置に位置させられている。したがって、開口部１２におけるカートリッジ本体２の中心部側の端部がシャッタ本体３１によって閉塞されている（以下、開口部１２における中心部側の端部を閉塞する位置を「閉塞位置」ともいう）。このように、このディスクカートリッジ１では、常態において、開口部１２がディスクトレイ５の底板４１とシャッタ部材４のシャッタ本体３１とによって閉塞されている。
【００２６】
また、このディスクカートリッジ１では、常態において、保持片７と、シャッタ部材４の保持部３５とがディスクトレイ５の切り欠き４３ａ，４３ｂ内にそれぞれ進入して（当接位置に位置させられて）、光ディスク１０を挟持するようにして保持している。したがって、非ディスクアクセス状態におけるカートリッジ本体２内での光ディスク１０のがたつきが回避されている。また、カートリッジ本体２内に収容された光ディスク１０は、図１に示すように、上シェル３ｂの上動規制部２４と、上動規制位置に位置している上動規制板６とによって上方への離脱が規制されている。この場合、上動規制板６の凸部５１ｂ，５１ｂが上シェル３ｂの取付部２５における凹部２５ｂ，２５ｂに嵌合することにより、上動規制板６の上動規制位置からのスライドが規制されている。したがって、上動規制板６の意図しないスライドが回避されて、光ディスク１０の離脱が確実に規制される。
【００２７】
一方、ディスクカートリッジ１を記録再生装置に装填した際には、ディスクカートリッジ１が記録再生装置によって装置内部に引き込まれる。この際には、記録再生装置のシャッタ開閉手段によってディスクトレイ５が回動させられ、これにより、シャッタ部材４がスライドさせられて開口部１２が開口される。具体的には、ディスクカートリッジ１を図１５に示す矢印Ｉ１の向きで記録再生装置に装填した際には、記録再生装置のシャッタ開閉手段がディスクカートリッジ１に対して矢印Ｉ２の向きで相対的に移動させられる。この際に、シャッタ開閉手段が回動規制部材８の当接部６７に当接することにより、当接部６７が柱状部６５を中心として矢印Ｊ１の向きで移動（回動）させられる。これに伴い、爪部６６が矢印Ｊ２の向きで移動（回動）させられる結果、ディスクトレイ５の噛合用凹部４４ｂと爪部６６との係合が解除されてディスクトレイ５の回動が許容される。次に、ディスクカートリッジ１が矢印Ｉ１の向きでさらに引き込まれた場合、シャッタ開閉手段がディスクトレイ５の噛合用凸部４５，４５・・に噛合する。次いで、ディスクカートリッジ１がさらに引き込まれた際には、ディスクトレイ５が矢印Ｈ１の向きで回動させられる。
【００２８】
この際には、ディスクトレイ５が開口位置に向けて回動させられて、図１６に示すように、下シェル３ａの開口部１２とディスクトレイ５の開口部４２とがディスクカートリッジ１の厚み方向において重ね合わされる。この結果、底板４１によって閉塞されていた開口部１２の開放端側が開口される。また、ディスクトレイ５の回動に伴って保持片７の主板６１に側壁４３が当接する結果、保持片７が柱状部６２を中心として図１５に示す矢印Ｌ１の向きに回動させられて、図１６に示すように、保持板６３が光ディスク１０の外縁部に対する当接を解除する解除位置に位置させられる結果、保持片７による光ディスク１０の保持が解除される。さらに、ディスクトレイ５が回動させられた際には、ディスクトレイ５の凸部４６がシャッタ部材４のスリット３３内を図１５に示す矢印Ｋ１の向きにスライドさせられた後に矢印Ｋ２の向きにスライドさせられる。これに伴い、シャッタ部材４は、下シェル３ａに対して凸部１４を中心とする円弧状の軌跡で矢印Ｆ１の向きにスライドさせられる。この結果、図１６に示すように、シャッタ部材４が下シェル３ａの開口部１２上から待避させられて（以下、この位置を「開口位置」ともいう）、シャッタ本体３１によって閉塞されていた開口部１２の中心部側端部が開口される。また、シャッタ部材４のスライドに伴って保持部３５が光ディスク１０の外縁部に対する当接を解除する解除位置に位置させられる結果、保持部３５による光ディスク１０の保持が解除される。これにより、開口部１２の開口および光ディスク１０の保持の解除（回転の許容）が完了し、カートリッジ本体２の外部からの光ディスク１０に対するディスクアクセスが可能な状態となる。この後、記録再生装置によって中心孔１０ａの口縁部がチャッキングされた光ディスク１０に対して、開口部１２，４２を介してのレーザービームの照射（記録データの記録または再生）が実行される。
【００２９】
一方、記録データの記録再生を完了したディスクカートリッジ１を記録再生装置から取り出す際には、記録再生装置のシャッタ開閉手段によってディスクトレイ５が回動させられ、これにより、シャッタ部材４がスライドさせられて開口部１２が閉塞される。具体的には、ディスクカートリッジ１が記録再生装置によって図１６に示す矢印Ｏ１の向きで排出される際に、記録再生装置のシャッタ開閉手段がディスクカートリッジ１に対して矢印Ｏ２の向きで相対的に移動させられる。この際には、ディスクトレイ５が閉塞位置に向けて矢印Ｈ２の向きで回動させられて、図１５に示すように、下シェル３ａにおける開口部１２の開放端側がディスクトレイ５の底板４１によって閉塞される。また、ディスクトレイ５の回動に伴って保持片７が側壁４３の切り欠き４３ａ内に進入して、保持板６３が光ディスク１０の外縁部に当接する当接位置に位置させられる結果、保持片７によって光ディスク１０が保持される。
【００３０】
さらに、ディスクトレイ５の回動に伴って、ディスクトレイ５の凸部４６がシャッタ部材４のスリット３３内を図１６に示す矢印Ｋ１の向きにスライドさせられた後に矢印Ｋ２の向きにスライドさせられる。これに伴い、シャッタ部材４は、下シェル３ａに対して凸部１４を中心とする円弧状の軌跡で閉塞位置に向けて矢印Ｆ２の向きでスライドさせられる。この結果、図１５に示すように、開口部１２の中心部側端部がシャッタ部材４のシャッタ本体３１によって開口される。また、シャッタ部材４のスライドに伴って保持部３５がディスクトレイ５の切り欠き４３ｂ内に進入させられて光ディスク１０の外縁部に当接する当接位置に位置させられる。この結果、保持部３５によって光ディスク１０が保持される。また、ディスクトレイ５が閉塞位置まで回動させられた際には、図１５に示すように、回動規制部材８の爪部６６がディスクトレイ５の噛合用凹部４４ｂに係合する結果、ディスクトレイ５の回動が規制される。これにより、開口部１２の閉塞および光ディスク１０の保持が完了する。この状態では、保持片７および保持部３５によって保持された光ディスク１０におけるレーベル面のほぼ全域が上シェル３ｂの開口部２２から露出する。したがって、光ディスク１０をカートリッジ本体２から取り出すことなく、記録再生装置によって光ディスク１０に記録したデータの内容などを特定可能な文字情報を光ディスク１０のレーベル面に書き入れることが可能となる。
【００３１】
一方、このディスクカートリッジ１では、カートリッジ本体２内に収容されている光ディスク１０をカートリッジ本体２外に取り出して、例えば、汎用のディスクドライブによって記録データを再生（または記録）したり、ブランクディスク（未記録の光ディスク１０）をカートリッジ本体２内に収容して、その状態でブランクディスクに対する記録データの記録再生を実行することも可能となっている。具体的には、図１７に示すように、まず、矢印Ｇ１の向きで上動規制板６をカートリッジ本体２に対して平行にスライドさせる。この際には、まず、上動規制板６のスライドに伴ってフランジ５１，５１の弾性アーム５１ａ，５１ａが弾性変形して上シェル３ｂの凹部２５ｂ，２５ｂと凸部５１ｂ，５１ｂとの嵌合が解除される（上動規制板６のスライドが許容される）。次に、ストッパ５２，５２が下シェル３ａにおける側壁１１ｂの内面（本発明における「カートリッジ本体の所定部位」の一例）に当接して上動規制板６を上動許容位置に停止させる。これにより、端部６ａが光ディスク１０における外縁部の上方から待避させられて、上動規制板６による光ディスク１０に対する上動規制を解除する。この際に、上動規制板６のフランジ５１，５１が上シェル３ｂにおける取付部２５の鍔部２５ａ，２５ａに係合させられて上シェル３ｂからの上動規制板６の離脱が規制されている。したがって、光ディスク１０の取り出し時における上動規制板６の紛失が回避される。
【００３２】
次に、光ディスク１０の中心孔１０ａに例えば人差し指を差し込む。この際に、図２に示すように、シャッタ部材４の孔３４を光ディスク１０の中心孔１０ａよりも大径に形成しているため、人差し指が中心孔１０ａに奥深くまで差し込まれる。次に、図１７に示す矢印Ｍの向きに光ディスク１０を移動させつつ、上動規制板６によって上動を規制されていた側の端部を持ち上げるようにして、光ディスク１０をカートリッジ本体２から取り出す。この際に、光ディスク１０の移動に伴って、保持板６３が光ディスク１０の外縁部に当接させられた状態を維持しつつ光ディスク１０と共に移動させられる。この結果、保持片７がスプリングＳ１の付勢力に抗して柱状部６２を中心として矢印Ｌ１の向きに（解除位置に向けて）に回動させられる。また、保持片７と相俟って光ディスク１０を挟持していた保持部３５は、光ディスク１０が移動させられたとしても当接位置から移動することなく、その当接位置において光ディスク１０の外縁部に対する当接を解除する。これにより、保持部３５による光ディスク１０の保持が解除されて、光ディスク１０がカートリッジ本体２から取り出される。この後、取り出した光ディスク１０をディスクドライブにセットして記録データの再生等を実行する。
【００３３】
また、ブランクディスクをカートリッジ本体２内に収容する際には、ブランクディスクの中心孔１０ａに人差し指を差し込んだ状態で、その一端部をディスクトレイ５の底板４１と上シェル３ｂの上動規制部２４との間に差し込むようにしてカートリッジ本体２内に収容する。この際に、光ディスク１０の外縁部が当接した保持片７がスプリングＳ１の付勢力に抗して柱状部６２を中心として矢印Ｌ１の向きに（解除位置に向けて）に回動させられる。この状態で光ディスク１０をディスクトレイ５の上に載置した場合、シャッタ部材４の保持部３５と光ディスク１０の外縁部との間に隙間が生じることとなる。したがって、光ディスク１０の外縁部を保持部３５に当接させることなくディスクトレイ５に載置することができる。また、ディスクトレイ５の上に載置された光ディスク１０は、スプリングＳ１の付勢力によって保持片７が図１６に示す矢印Ｌ２の向きで回動させられることにより、その外縁部が保持部３５に当接する向き（図１７に示す矢印Ｍの逆向き）に移動させられる。これにより、保持片７および保持部３５によって光ディスク１０が挟持される。
【００３４】
次に、上動規制板６を図１７に示す矢印Ｇ２の向きで平行にスライドさせる。この際には、フランジ５１，５１の弾性アーム５１ａ，５１ａが弾性復帰して、その付勢力によって凸部５１ｂ，５１ｂが上シェル３ｂの凹部２５ｂ，２５ｂに嵌合する。これにより、上動規制板６の上動規制位置からのスライドが規制される。この状態では、図１に示すように、上動規制板６が上動規制位置に位置させられることによって、その端部６ａがブランクディスクにおける外縁部の上方に突出する。この結果、上シェル３ｂの上動規制部２４と上動規制板６とによってブランクディスクの上動が規制される。この後、前述したようにして、このディスクカートリッジ１を記録再生装置に装填することにより、ブランクディスクに対する記録データの記録または再生が実行される。
【００３５】
このように、このディスクカートリッジ１によれば、光ディスク１０の出し入れ（取り出しおよび収納）を可能にする略円形状の開口部２２を上シェル３ｂに形成したことにより、カートリッジ本体２に収容した状態で光ディスク１０の一面（例えばレーベル面）を露出させることができる。これにより、カートリッジ本体２から光ディスク１０を取り出すことなく、光ディスク１０の記録内容等を特定するための文字情報等を書き入れることができると共にレーベル面に書き入れられた文字情報等を視認することができる。また、上シェル３ｂに上動規制部２４を形成すると共に、上動規制位置と上動許容位置との間で平行スライドが可能に上動規制板６をカートリッジ本体２（この場合、上シェル３ｂ）に取り付けたことにより、ディスクの出し入れ時に側壁板を大きく回動させる必要がある従来のディスクカートリッジとは異なり、上動規制板６を僅かにスライドさせるだけで光ディスク１０の出し入れを許容することができると共に、上動規制板６を押さえていなくても光ディスク１０を出し入れすることができる。したがって、カートリッジ本体２に対して光ディスク１０を容易に出し入れすることができる。
【００３６】
また、このディスクカートリッジ１によれば、上動規制板６に係合してその離脱を規制しつつ上動規制板６を上シェル３ｂに対してスライド可能に取り付ける鍔部２５ａ，２５ａを形成したことにより、光ディスク１０の出し入れ時における上動規制板６の紛失を回避することができる。また、スライド時に下シェル３ａの側壁１１ｂに当接して上動規制板６を上動許容位置に停止させるストッパ５２，５２を設けたことにより、上動規制位置から上動許容位置に上動規制板６をスライドさせた際に上動規制板６が上動許容位置を通り過ぎて鍔部２５ａ，２５ａとフランジ５１，５１との係合が解除される（上動規制板６がカートリッジ本体２から外れる）事態を回避することができる。
【００３７】
さらに、このディスクカートリッジ１によれば、弾性アーム５１ａによって付勢されて上シェル３ｂの凹部２５ｂに嵌入することで上動規制板６の上動規制位置からのスライドを規制する凸部５１ｂを上動規制板６に設けたことにより、光ディスク１０の上動を規制している上動規制板６の意図しないスライドを確実に回避することができるため、光ディスク１０がカートリッジ本体２から離脱して脱落する事故を確実に防止することができる。
【００３８】
また、このディスクカートリッジ１によれば、シャッタ部材４によって開口部１２が閉塞されるときに光ディスク１０を保持すると共にシャッタ部材４によって開口部１２が開口されるときに光ディスク１０の保持を解除する保持片７および保持部３５を備えたことにより、上シェル３ｂの上動規制部２４と上動規制板６とによる上動の規制に加えて、保持片７および保持部３５によって光ディスク１０が保持されるため、光ディスク１０のカートリッジ本体２からの離脱（脱落）を確実に回避することができる。
【００３９】
なお、本発明は、上記した実施の形態に限定されない。例えば、本発明の実施の形態では、上シェル３ｂにスライド規制用凹部２５ｂ，２５ｂを形成すると共に、上動規制板６に弾性アーム５１ａを介してスライド規制用凸部５１ｂ，５１ｂを設けることによって上動規制板６の上動規制位置からのスライドを規制する構成について説明したが、本発明はこれに限定されず、図１８，１９に示すように、上動規制板１０６（本発明における第１上動規制部の他の一例）のフランジ１５１，１５１にスライド規制用凹部２５ｂ，２５ｂを形成すると共に、上シェル１０３ｂ（本発明における上シェルの他の一例）における取付部１２５に弾性アーム５１ａを介してスライド規制用凸部５１ｂ，５１ｂを設けることによって上動規制板１０６の上動規制位置からのスライドを規制する構成を採用することができる。この構成によれば、前述したディスクカートリッジ１と同様にして、光ディスク１０の上動を規制している上動規制板１０６の意図しないスライドを確実に回避することができるため、光ディスク１０がカートリッジ本体２から離脱して脱落する事故を確実に防止することができる。
【００４０】
また、本発明の実施の形態では、追記型の光ディスク１０をカートリッジ本体２内に収容したディスクカートリッジ１を例に挙げて説明したが、本発明におけるディスク状記録媒体はこれに限定されず、再生専用タイプの光ディスクや、書換え可能型の光ディスクなどの各種の光ディスクを収容してディスクカートリッジを構成することができる。さらに、本発明におけるディスク状記録媒体には、光ディスクのみならず、光磁気ディスクや磁気ディスクが含まれる。さらに、本発明の実施の形態では、単一のシャッタ部材４とディスクトレイ５とで開口部１２を閉塞可能に構成した例について説明したが、本発明はこれに限定されず、一対のシャッタ部材によって開口部１２を閉塞する構成を採用することもできる。
【００４１】
【発明の効果】
以上のように、本発明に係るディスクカートリッジによれば、ディスク状記録媒体の出し入れ（取り出しおよび収納）を可能にする開口部を上シェルに形成したことにより、カートリッジ本体に収容した状態でディスク状記録媒体の一面（例えばレーベル面）を露出させることができる。これにより、カートリッジ本体からディスク状記録媒体を取り出すことなく、ディスク状記録媒体の記録内容等を特定するための文字情報等を書き入れることができると共にレーベル面に書き入れられた文字情報等を視認することができる。また、上シェルに第２上動規制部を形成すると共に、上動規制位置と上動許容位置との間で平行スライドが可能に第１上動規制部をカートリッジ本体に取り付けたことにより、ディスクの出し入れ時に側壁板を大きく回動させる必要がある従来のディスクカートリッジとは異なり、第１上動規制部を僅かにスライドさせるだけでディスク状記録媒体の出し入れを許容することができると共に、第１上動規制部を押さえていなくてもディスク状記録媒体を出し入れすることができる。したがって、カートリッジ本体に対してディスク状記録媒体を容易に出し入れすることができる。
【００４２】
また、本発明に係るディスクカートリッジによれば、第１上動規制部に係合してその離脱を規制しつつ第１上動規制部を上シェルに対してスライド可能に取り付ける係合部を形成したことにより、ディスク状記録媒体の出し入れ時における第１上動規制部の紛失を回避することができる。また、スライド時にカートリッジ本体の所定部位に当接して第１上動規制部を上動許容位置に停止させるストッパを設けたことにより、上動規制位置から上動許容位置に第１上動規制部をスライドさせた際に第１上動規制部が上動許容位置を通り過ぎて係合部に対する係合が解除される（第１上動規制部がカートリッジ本体から外れる）事態を回避することができる。
【００４３】
さらに、本発明に係るディスクカートリッジによれば、第１上動規制部および上シェルのいずれか一方に形成したスライド規制用凹部に嵌合して第１上動規制部の上動規制位置からのスライドを規制するスライド規制用凸部を第１上動規制部および上シェルのいずれか他方に形成したことにより、ディスク状記録媒体の上動を規制している第１上動規制部の意図しないスライドを確実に回避することができるため、ディスク状記録媒体がカートリッジ本体から離脱して脱落する事故を確実に防止することができる。
【００４４】
また、本発明に係るディスクカートリッジによれば、シャッタ部材によって開口部が閉塞されるときにディスク状記録媒体を保持すると共にシャッタ部材によって開口部が開口されるときにディスク状記録媒体の保持を解除するディスク保持部を備えたことにより、第２上動規制部と第１上動規制部とによる上動の規制に加えて、ディスク保持部によってディスク状記録媒体が保持されるため、ディスク状記録媒体のカートリッジ本体からの離脱（脱落）を確実に回避することができる。
【図面の簡単な説明】
【図１】本発明の実施の形態に係るディスクカートリッジ１の平面図である。
【図２】図１におけるＡ−Ａ線断面図である。
【図３】カートリッジ本体２における下シェル３ａの平面図である。
【図４】図３におけるＢ−Ｂ線断面図である。
【図５】カートリッジ本体２における上シェル３ｂの平面図である。
【図６】図５におけるＣ−Ｃ線断面図である。
【図７】上シェル３ｂにおける取付部２５近傍の平面図である。
【図８】シャッタ部材４の平面図である。
【図９】図８におけるＤ−Ｄ線断面図である。
【図１０】ディスクトレイ５の平面図である。
【図１１】図１０におけるＥ−Ｅ線断面図である。
【図１２】上動規制板６、保持片７、回動規制部材８、誤消去防止部材９およびスプリングＳ１，Ｓ２の平面図である。
【図１３】上動規制板６におけるフランジ５１近傍の平面図である。
【図１４】上動規制板６の側面図である。
【図１５】下シェル３ａの開口部１２がディスクトレイ５およびシャッタ部材４によって閉塞された状態の平面図である。
【図１６】下シェル３ａの開口部１２が開口された状態の平面図である。
【図１７】カートリッジ本体２に対して上動規制板６をスライドさせた状態の平面図である。
【図１８】本発明の他の実施の形態に係る上シェル１０３ｂにおける取付部１２５近傍の平面図である。
【図１９】本発明の他の実施の形態に係る上動規制板１０６におけるフランジ１５１近傍の平面図である。
【符号の説明】
１  ディスクカートリッジ
２  カートリッジ本体
３ａ  下シェル
３ｂ，１０３ｂ  上シェル
４  シャッタ部材
５  ディスクトレイ
６，１０６  上動規制板
６ａ  端部
７  保持片
１０  光ディスク
１１ａ  底板
１１ｂ  側壁
１２  開口部
２１ａ  天板
２１ｂ  側壁
２２  開口部
２４  上動規制部
２５，１２５  取付部
２５ａ  鍔部
２５ｂ  凹部
３１  シャッタ本体
３５  保持部
５１，１５１  フランジ
５１ａ  弾性アーム
５１ｂ  凸部
５２  ストッパ
６１  主板
６２  柱状部
６３  保持板
【図１】
2004288269.tif 000003
【図２】
2004288269.tif 000004
【図３】
2004288269.tif 000005
【図４】
2004288269.tif 000006
【図５】
2004288269.tif 000007
【図６】
2004288269.tif 000008
【図７】
2004288269.tif 000009
【図８】
2004288269.tif 000010
【図９】
2004288269.tif 000011
【図１０】
2004288269.tif 000012
【図１１】
2004288269.tif 000013
【図１２】
2004288269.tif 000014
【図１３】
2004288269.tif 000015
【図１４】
2004288269.tif 000016
【図１５】
2004288269.tif 000017
【図１６】
2004288269.tif 000018
【図１７】
2004288269.tif 000019
【図１８】
2004288269.tif 000020
【図１９】
2004288269.tif 000021